(57)【要約】  非致命的武器備品および非致命的武器を用いた防御方法が提供される。この非致命的武器備品は、接触点を有する担持体と、担持体に接続された離脱表示器と、を含む。接触点は、非致命的武器に対して連結するよう構成されている。離脱信号は、非致命的武器が担持体から離脱したとき、離脱表示器により送信される。【選択図】なし【特許請求の範囲】
【請求項１】
非致命的武器備品であって、
エンクロージャおよび前記エンクロージャ内に配置された接触点を含む担持体と、
前記接触点において前記担持体に対して連結する非致命的武器と、
前記担持体に接続され、かつ、前記非致命的武器が前記担持体から離脱されたときに離脱信号を起動するよう構成された離脱表示器であって、前記非致命的武器が前記担持体から離脱したときに前記離脱信号をトランスデューサに送信するよう構成された電気回路を含む離脱表示器と
を含む、非致命的武器備品。
【請求項２】
前記離脱表示器は、前記非致命的武器が前記担持体から離脱したときに前記担持体の位置に対して遠隔位置にある前記トランスデューサに前記離脱信号を送信し、それにより、前記トランスデューサは、前記非致命的武器が前記担体から離脱したときに前記遠隔位置から可聴性アラートを起動するよう構成されている、請求項１に記載の非致命的武器備品。
【請求項３】
前記担持体の前記位置および前記遠隔位置は同一室内にある、請求項２に記載の非致命的武器備品。
【請求項４】
前記担持体の前記位置および前記遠隔位置は別個の室内にある、請求項２に記載の非致命的武器備品。
【請求項５】
非致命的武器備品であって、
接触点を有する担持体と、
前記接触点において前記担持体に対して接触する非致命的武器と、
前記担持体に接続された離脱表示器であって、前記非致命的武器が前記接触点において前記担持体から離脱したときに離脱信号が送信される、離脱表示器と
を含む、非致命的武器備品。
【請求項６】
前記非致命的武器は刺激性スプレーである、請求項５に記載の非致命的武器備品。
【請求項７】
前記離脱表示器は離脱信号を送信する電気回路を含み、前記電気回路は、前記担持体が前記接触点において前記非致命的武器に対して接触することに基づいて、開状態になり得る、請求項５に記載の非致命的武器備品。
【請求項８】
前記電気回路は、前記非致命的武器が前記接触点において前記担持体に対して接触状態にあるとき、開状態にある、請求項７に記載の非致命的武器備品。
【請求項９】
前記電気回路は、前記非致命的武器が前記接触点において前記担持体に対して接触状態にあるとき、閉状態にある、請求項７に記載の非致命的武器備品。
【請求項１０】
非致命的武器を用いた防御方法であって、
担持体が接触点において前記非致命的武器に対して連結するよう、前記非致命的武器を前記担持体に配置することと、
前記担持体が前記接触点において前記非致命的武器から離脱したときに離脱信号を送信することと
を含む方法。
【請求項１１】
前記離脱信号を送信することは可聴性アラートを起動することを含む、請求項１０に記載の方法。
【請求項１２】
前記非致命的武器が前記担持体から離脱したときに前記離脱信号を送信することは、前記担持体の位置に対する遠隔位置から前記可聴性アラートを起動する、請求項１１に記載の方法。
【請求項１３】
前記担持体内に前記非致命的武器が収容されるよう、前記担持体に前記非致命的武器を封入することをさらに含む、請求項１０に記載の方法。
【請求項１４】
前記離脱信号を送信することは電気回路が開かれたときに実行されるよう、前記電気回路を前記接触点に接続された状態に保持することをさらに含む、請求項１０に記載の方法。
【請求項１５】
前記離脱信号を送信することは、前記接触点に接続された電気回路を閉じることにより実行される、請求項１０に記載の方法。
【請求項１６】
前記離脱信号を送信することは、遠隔位置に配置された非致命的武器備品に前記離脱信号を送信することを含む、請求項１０に記載の方法。
【請求項１７】
前記離脱信号を送信することは、複数の遠隔位置に配置された非致命的武器備品に前記離脱信号を送信することを含む、請求項１０に記載の方法。
【請求項１８】
前記離脱信号を信号受信器において受信することと、
第２信号を前記信号受信器から遠隔位置に送信することと
をさらに含む、請求項１０に記載の方法。
【請求項１９】
前記離脱信号を信号受信器において受信することと、
警備信号を、少なくとも１つの建造物作動モジュールに送信することと
をさらに含む、請求項１０に記載の方法。
【請求項２０】
前記離脱信号を、前記担持体を収容する室内の位置に送信することと、
前記非致命的武器が前記担持体から離脱したときに、前記位置から可聴性アラートを起動することと
をさらに含む、請求項１０の方法。
【発明の詳細な説明】
【技術分野】
【０００１】
建造物の占有者および特定場所に集合する人々にとって、自らの安全性に対する脅威は増加しつつある。例えば、能動的な銃撃犯は、より広大規模な私有地および公共的にアクセス可能な場所（例えば学校の教室など）をターゲットとし続け、それにより、係る場所に集合する人々に対して、死および重大な身体的損傷が課されることとなる。共同体の指導者は、脅威に対する防御が係る空間の占有者に提供されるよう、小火器または同様の致死的武器が各箇所に配置されるべきであることを提案する。しかし教員または他の権威者により携行される小火器を用いる防御戦略は、実際的な運用に対して重大な懸念をもたらす。第１に、致死的武器がすべての人により適度にアクセス可能となるため、係る箇所における全員の安全性が即時的かつ継続的に損なわれる。第２に、武器管理者は、建造物の占有者に対する不必要な負傷または死を防止するために、警備、取り扱い、および武器の使用に関する広範な訓練を受ける必要がある。さらに、教員などの致死的武器の使用者、および居合わせたあらゆる小人を含む任意の観察者は、人が重大な負傷を受けることによりまたは死亡することにより生じる極度の外傷を経験するであろう。最後に、警備職員または法執行職員に対して警報を発する追加的な手段をまったく有さない武器を提供することは、例えば大型武器を携行する能動的銃撃犯などの多数の暴力的脅威に対する適切な防護を提供しない。
【背景技術】
【０００２】
したがって、人または動物の脅威に対する防御手段を提供する非致命的武器備品が当該技術分野において必要である。さらに、驚異的な人または無害の人が武器に対してアクセスしたときに生じる武器による死または重大な身体的損傷の脅威を排除する武器備品が、当該技術分野において必要である。最後に、武器使用時に緊急事象の発生を示す離脱信号を提供する武器備品が、当該技術分野において必要である。
【発明の概要】
【０００３】
本開示の一実施形態によれば、非致命的武器備品が提供される。この非致命的武器備品は、接触点を有する担持体と、担持体に接続された離脱表示器と、を含む。接触点は、非致命的武器に接触するよう構成されている。離脱信号は、非致命的武器が担持体から離脱したとき、離脱表示器により送信される。
【０００４】
非致命的武器備品は、接触点において担持体に対して接触する非致命的武器をさらに含み得る。非致命的武器はトウガラシ・スプレーであり得る。担持体は、非致命的武器を収容するよう構成されたエンクロージャを含み得る。エンクロージャは、エンクロージャの外側の位置から非致命的武器を閲覧することを可能にする少なくとも１つの透明部分を含み得る。離脱表示器は離脱信号を送信するための電気回路を含み得る。電気回路は、担持体が接触点において非致命的武器に対して接触することに基づいて、開状態になり得る。電気回路は、非致命的武器が接触点において担持体に対して接触状態にあるとき、開状態になり得る。電気回路は、非致命的武器が接触点において担持体に対して接触状態にあるとき、閉状態になり得る。離脱信号は可聴性アラートを含み得る。離脱表示器は、非致命的武器が担持体から離脱したときに、担持体に対する遠隔位置から可聴性アラートを送信し得る。離脱信号は、非致命的武器が担持体から離脱したことを示すために離脱表示器により遠隔緊急信号受信器に送信される緊急信号を含み得る。
【０００５】
本開示のさらなる実施形態によれば、非致命的武器を用いた防御方法が提供される。この方法は、担持体が接触点において非致命的武器に対して接触するよう非致命的武器を担持体に配置することと、担持体が接触点において非致命的武器から離脱したときに離脱信号を送信することと、を含む。
【０００６】
離脱信号を送信することは、可聴性アラートを送信することを含み得る。可聴性アラートを送信することは、非致命的武器が担持体から離脱したときに、担持体の位置に対する遠隔位置から可聴性アラートを送信することを含み得る。この方法は、担持体内に非致命的武器が収容されるよう、担持体に非致命的武器を封入することをさらに含み得る。この方法は、電気回路が接触点を通って開かれたときに離脱信号を送信することが実行されるよう、少なくとも部分的に接触点を通るよう電気回路を保持することをさらに含み得る。離脱信号を送信することは、遠隔位置に配置された非致命的武器備品に離脱信号を送信することを含み得る。離脱信号の送信は、複数の遠隔位置に配置された非致命的武器備品に離脱信号を送信することを含み得る。この方法は、信号受信器において離脱信号を受信し、信号受信器から遠隔位置へ第２信号を送信することを、さらに含み得る。この方法は、信号受信器において離脱信号を受信し、少なくとも１つの建造物作動モジュールへ警備信号を送信することを、さらに含み得る。この方法は、非致命的武器が担持体から離脱したときに、担持体を収容する部屋内の位置に離脱信号を送信し、当該位置から可聴性アラートを送信することを、さらに含み得る。
【０００７】
本明細書で記載の実施形態、および他の特徴、利点、本明細書に含まれる開示、および、それらを達成する手法は、以下の添付の図面と併せて、以下の説明から、より良好に理解されるであろう。なお添付の図面では、同様の参照番号は同様の要素を指す。
【図面の簡単な説明】
【０００８】
【図１】本開示の様々な態様に係る非致命的武器備品の斜視図である。
【図２】本開示の様々な態様に係る非致命的武器備品の斜視図である。
【図３】本開示の様々な態様に係る非致命的武器備品の非致命的武器備品の概略図である。
【発明を実施するための形態】
【０００９】
本開示の様々な実施形態に関する以下の詳細な記載では、添付の図面が参照される。これらの図面は本開示の様々な実施形態の一部を形成するものであり、これらの図面では、限定としてではなく例示として、係る特定的な実施形態が示される。他の実施形態も利用され得ること、および本開示の趣旨および範囲から逸脱することなく変更が可能であること、が理解されるであろう。
【００１０】
ここで図１を参照すると、図１では、本開示の１つまたは複数の実施形態に係る備品１０が開示されている。図１の実施形態の備品１０は、建造物構造体１４の壁部１２に取り付けられる。追加的な実施形態では、備品１０は、建造物構造体１４の壁部１２に、天井に、または床面に、取り付けられる。図１の実施形態の備品１０の最下地点１６は、最小高さ（例えば、床面から４フィートの高さ）に、または係る最小高さの上方に、取り付けられる。図示しないさらなる実施形態では、備品１０は、車両表面に、家具表面に、もしくは任意の他の表面に取り付けられてもよく、または、床表面上もしくは他の表面上に配置されてもよい。
【００１１】
図１の備品１０は担持体２０を含む。１つまたは複数の実施形態の担持体２０は、非致命的武器２２を収容するよう構成された箱、エンクロージャ、または容器を含む。一実施形態の武器２２は、いくつかの非限定的な実施形態を挙げると、スプレー（例えば、刺激性、不動化用、抑止用、撃退用など）、および／または無力化用スプレー（トウガラシ・スプレー、トウガラシオレオレジン（ＯＣ）スプレー、またはメース）を含む。武器２２は、追加的な実施形態では任意の非致命的武器である。追加的な実施形態では、武器２２は小火器のように、致死的威力を有する。図１では、透明部分２６を有する前面パネル２４を含む担持体２０がさらに図示されている。透明部分２６は、担持体２０の外側の位置から武器２２を閲覧することを可能にする。一実施形態では、透明部分２６は、破断可能なガラスまたは破断可能な防壁を含む。１つまたは複数の実施形態では、担持体２０の大部分または担持体２０の全体は、担持体２０の内側に配置された武器２２がより良好に認知されることが可能となるよう、透明である。図示しない一実施形態では、担持体２０は、担持体２０の内側に配置された武器２２または他の物体が認知されることが防止されるよう、不透明であるか、または透明ではない。１つまたは複数の実施形態の担持体２０は、正方形、長方形、三角形、円筒形、球形、または任意の他の構造的形状を有するエンクロージャを含む。
【００１２】
担持体２０は、武器２２に対して連結する接触点３０を含む。図１の実施形態の接触点３０は、担持体２０を武器２２に接続するコード３２である。コード３２は、武器２２が担持体２０から離脱することを可能にする接続点３８を含む。接続点３８は、以下でさらに詳細に説明されるよう、離脱表示器４０に接続されるか、または離脱表示器４０の一部を形成する。接触点３０は、１つまたは複数の実施形態では武器２２に対して物理的に接触するのではなく、むしろ武器２２に対して連結する。１つの非限定的な事例では、武器２２は接触点３０において担持体２０に対して連結し、離脱表示器４０は、例えばＲＦＩＤまたは赤外線により武器２２が担持体２０から離脱したことを検知することにより、武器２２が担持体２０から離脱したことを判定する。本開示で記載の様々な検知ならびに表示する構造体および方法により可能となる「接触」という用語および「連結」という用語が本開示の様々な実施形態を通じて相互交換可能に使用され得ることが理解されるであろう。
【００１３】
担持体２０は、１つまたは複数の実施形態では、開放可能なドア４４または窓を含む。開放可能なドア４４または窓は、一実施形態では、アクセス制御装置４６を含む。一実施形態のアクセス制御装置４６はロック機構を含む。ロック機構は、鍵、組み合わせ機構、キーパッド、ＲＦＩＤ装置、アクセス制御装置４６に送られた、遠隔送信されたロック解除信号により、ロック解除され得る。
【００１４】
図２をここで参照すると、一実施形態では、担持体２０は武器２２を収容しない。追加的な実施形態の接触点３０は、武器２２のネック部３６に取り付けられた接続点３８を含む。ネック部３６に取り付けられた接続点３８は、一実施形態では、接続点３８を破断、開放、または別様に操作して武器２２を解放することにより、武器２２の離脱を可能にする。係る実施形態では、接触点３０は、武器２２が担持体２０から離脱したことを検出するために、担持体２０に物理的に結合する。本明細書で開示の任意の実施形態の接触点３０は、以下でより詳細に説明されるように、離脱表示器４０に対して接続されるか、または離脱表示器４０の一部を形成する。
【００１５】
一実施形態の担持体２０は、武器２２に接触する接触点３０を含む武器支持表面２８を含む。武器支持表面２８は、本明細書で開示の任意の他の接触点３０と置き換えられるために、または係る任意の他の接触点３０の冗長的な特徴物として、存在し得る。一実施形態では接触点３０は、担持体２０上に設けられた、または担持体２０内に設けられた、圧力感受性または重量感受性の表面であり、担持体２０と武器２２との間の接触を検知する。さらなる実施形態では、接触点３０は近接センサまたは同様の機能を有する他のセンサであり、その非限定的な例としては、容量性センサ、光電センサ、誘導センサ、赤外線センサ、ドップラー効果センサ、磁気センサ、フォトセルセンサ、レーダセンサ、超音波センサ、電磁センサ、ＲＦＩＤセンサ、またはホール効果センサが挙げられる。
【００１６】
ここで図３を参照すると、図１および図２の備品１０は、担持体２０に対して接続された離脱表示器４０をさらに含む。離脱表示器４０は担持体２０に対して接続される。離脱表示器４０は、１つまたは複数の実施形態では、上記で接触点３０に関して説明したようなセンサ４８を含む。１つまたは複数の実施形態のセンサ４８は、重量センサ、近接センサ、またはスイッチを含む。センサ４８は、武器２２に対して結合されるか、武器２２に対して接続されるか、または、武器の全般的位置をもしくは担持体２０に対する武器２２の取り付けを検知する能力を有する。
【００１７】
武器２２が担持体２０から離脱されたとき、離脱表示器４０は離脱信号５０を送信する。離脱表示器４０は、離脱信号５０を送信するための電気回路４２を含む。一実施形態の回路４２は、担持体２０が接触点３０において武器２２に対して接触することに基づいて、開状態になる。一実施形態では、電気回路４２は、武器２２が接触点３０において担持体２０に対して接触状態にあるとき、開状態である。他の実施形態では、電気回路４２は、武器２２が接触点３０において担持体２０に対して接触状態にあるとき、閉状態になる。
【００１８】
離脱表示器４０は、１つまたは複数の実施形態では、制御器７０を含み、電源７２を含むかまたは電源７２に接続される。電源７２は直流（ＤＣ）であるかまたは交流（ＡＣ）であり得る。一実施形態では、電源７２は建造物１４のＡＣ電源である。他の実施形態では、電源７２は担持体２０内または担持体２０近傍のバッテリーから供給されるＤＣ電力である。１つまたは複数の実施形態では、バッテリーはリチウムイオン電池またはリチウムポリマー電池である。一実施形態では、電源７２は建造物１４のＡＣ電源である。追加的な実施形態では、電源７２は、ＡＣ電力およびＤＣ電力の組み合わせであり、および／または、１つまたは複数の、太陽光、風力、または他の代替的および／または再生可能なエネルギー供給源である。
【００１９】
離脱信号５０は、１つの非限定的な事例ではトランスデューサ（例えばスピーカ７４）に、または、１つの実施形態では可聴性アラームを提供する能力を有する同様の要素に、供給される。スピーカ７４は、担持体２０にもしくは担持体２０上に配置されてもよく、１０フィート以上担持体２０から隔てられながら担持体２０と同一の部屋またはエリア内にあってもよく、建造物１４の他のエリア内に、または建造物１４の外側の位置に、配置されてもよい。一実施形態では、離脱信号５０は、以下でより詳細に説明されるように、遠隔位置６０に配置された遠隔緊急信号受信器６４に緊急信号６２として送信される。離脱信号５０は、さらなる実施形態では、以下でより詳細に説明されるように、建造物信号受信器６６に送信される。
【００２０】
武器２２が接触点３０において担持体２０に対して接触状態にないとき、離脱信号５０は送信される。離脱信号５０は、一実施形態では、可聴性アラート（例えばアラームまたは可聴性音声アラートなど）である。可聴性音声アラートは、緊急事象または他の事象に関連する聞き手に対する口頭指示を含み得る。一実施形態では、離脱表示器４０は、離脱信号５０の送信を、またはスピーカ７４の作動を、遅延させるための時間遅延モジュールを含む。
【００２１】
可聴性アラートは、遠隔位置６０に、および／または遠隔位置６０から、送信され得る。係る実施形態では、離脱表示器４０は、電気信号の形態にある離脱信号５０を遠隔位置６０に送信する。次に離脱信号５０は、遠隔位置６０から、可聴性アラートまたは他の信号の形態で送信され得る。係る実施形態では、遠隔位置６０から送信される可聴性アラートは、攻撃者または能動的銃撃犯などの脅威に対して、気をそらせるものとして機能し得る。一実施形態では、離脱表示器４０は、武器２２が担持体２０から離脱されたことを示すために、離脱信号５０を緊急信号６２として遠隔緊急信号受信器６４に送信する。離脱信号５０が、単一の信号を含み得ることが、または、別個の信号の各信号が、可聴信号、ハードワイヤードによる電気信号、ワイヤレス電気信号、視覚信号（例えば光信号）、無線信号、機械的信号、または当業者が指示の目的に利用する任意の他の信号種類を含むがこれらに限定されない、１つまたは複数の可聴性、緊急性、作動性、および／または他の信号種類の形態を取るよう、離脱表示器４０から発せられる複数の別個の信号を含み得ることが、理解されるであろう。
【００２２】
離脱表示器４０は、一実施形態では、緊急手続きまたは警備手続きを作動させるために、離脱信号５０を建造物信号受信器６６にも送信する。係る緊急手続きまたは警備手続きは、建造物作動モジュールにより操作される。緊急手続きまたは警備手続きは、ドアおよび／または窓の閉止、開放、ロック、もしくはロック解除、外部および／または遠隔アラームの作動、建造物１４の１つまたは複数のエリアに対する照明または電力の作動もしくは作動停止、スプリンクラーもしくは消防システムの作動、または、１つまたは複数の防壁またはゲートの作動を含むが、これらに限定されない。特定の実施形態では、離脱表示器４０は、離脱信号５０を１つまたは複数の非常灯（例えばストロボ光など）に送信する。１つまたは複数の非常灯は、１つまたは複数の実施形態では、担持体２０上に、もしくは担持体２０内に、担持体２０と同一の室内に、建造物１４内の担持体２０とは異なるエリアに、または建造物１４の外側の位置に、配置される。
【００２３】
上記で説明した任意の装置に送信される離脱信号５０、および遠隔位置６０から受信されるあらゆる信号は、有線通信またはワイヤレス通信により送信され得る。遠隔緊急信号受信器６４、遠隔位置６０、および／または建造物信号受信器６６へのワイヤレス接続の場合、遠隔緊急信号受信器６４、遠隔位置６０、または建造物信号受信器６６のうちのいずれもが別個の制御器（図示せず）を含み得る。さらに、遠隔緊急信号受信器６４、遠隔位置６０、または建造物信号受信器６６のいずれもが、別個の電源を含んでもよく、または別個の電源に対して接続されてもよい。電源（図示せず）はＤＣまたはＡＣであり得る。一実施形態では、電源は建造物１４のＡＣ電源である。他の実施形態では、電源は、非限定的な事例では、リチウム電池などのバッテリーから供給されるＤＣ電力である。追加的な実施形態では、電源は、ＡＣ電力およびＤＣ電力の組み合わせであり、および／または、１つまたは複数の、太陽光、風力、または他の代替的および／または再生可能なエネルギー供給源である。
【００２４】
図示しない追加的な実施形態では、複数の担持体２０が、建造物１４に、建造物１４内に、および／または建造物１４の周囲に、または、特定群の構造体および／または屋外エリアの内に、配置される。複数の担持体２０は、相互に対して、および／または中央ハブに対して、通信可能にリンクされるか、および／または別様に１つまたは複数の信号を送信する能力を有する。係る実施形態では、複数の担持体２０のうちの１つの担持体からの信号の送信により（例えば離脱信号５０により）、１つまたは複数の追加的な担持体２０において信号が、アラートの送信が、もしくは他の事象が、１つまたは複数の追加的な担持体２０に対する固定、固定解除、またはアクセス可能性の変更が、生じ得る。さらに、複数の担持体２０を有する実施形態における各担持体２０は、単一の担持体２０を有する実施形態に関して上記で説明された構造体、機能、および／または特徴を含み得る。
【００２５】
本開示は、人または動物の脅威に対する防御手段として備品１０を提供する。備品１０は、人（例えば、能動的銃撃犯および武装強盗を含む、暴力的動作または危険動作に従事する者ら）の脅威を防止するための抑止力として作用する。備品１０はさらに、建造物占有者の安全性に脅威をもたらす人または動物に対する防御用武器を提供する。さらに、備品１０は、危険な動物（例えば、攻撃的な犬または熊など）の脅威に対する防御手段を、建造物占有者に、または群衆に、提供する。
【００２６】
備品１０の接続性は、上記のように、即時的なアラートまたは遅延されたアラートを、局所的エリアおよび／または遠隔地に、アラーム、建造物作動、または緊急アラートの形態で、提供する。それにより、建造物占有者および警備職員または法執行職員は、これらの事象または脅威に気付くことが可能となり、トリガとなった事象を防止または停止させるにあたり必要な対処を即時に取ることが可能となる。さらに、脅威的な人または無害な人が武器２２を手に取った場合、本開示の１つまたは複数の実施形態における備品１０に収容された武器２２の非致命的性質により、武器２２が使用されたとき、あらゆる他の建造物占有者に対する死または重大な身体的損傷は防止される。加えて、武器２２の使用者が武器２２を操作したとき（例えば教室内の教員が一実施形態に記載のトウガラシ・スプレー・キャニスターを使用したとき）、使用者および観察者（例えば学校内の児童）は、脅威となる者に対して死または重大な損傷を与える致死的武器の使用に関連付けられた外傷と同一程度の外傷を経験しないであろう。備品１０は、学校、裁判所などの行政機関、空港、鉄道駅、オフィスビル、ショッピングモール、小売店舗、スポーツ／娯楽用アリーナもしくはスタジアム、美術館、映画館、またはレストランを含むがこれらに限定されない、あらゆる公共的建造物、または屋内／屋外の集合場所の占有者に対して、防御手段を提供する。
【００２７】
本開示の特定的な実施形態について図示および説明してきたが、様々な他の変化および変更が、本開示の趣旨および範囲から逸脱することなく可能であることは、当業者には明らかであろう。したがって、本開示の範囲に含まれる係る変化および変更の全部が添付の請求項に含まれることが意図される。
【図１】
2019506690.tif 000002
【図２】
2019506690.tif 000003
【図３】
2019506690.tif 000004
【国際調査報告】
2019506690.tif 000005
2019506690.tif 000006